(57)【要約】【課題】スポンジ部材が着脱可能であっても、使用中にスポンジ部材が棒状部から外れ難いボディブラシを提供する。【解決手段】前端２１ａに取付部２２が設けられ、後端２１ｂに把持部２３が設けられた棒状部２１と、棒状部２１の取付部２２に脱着自在に取付けられるスポンジ部材２５とを備えるボディブラシ２０において、取付部２２を、棒状部２１より幅広の板状にするとともに、スポンジ部材２５は、スポンジ体３９及びスポンジ体３９を包み込む包材４０からなり、包材４０には、表面に開口する差込口２６と、スポンジ部材２５の内部において差込口２６と連通しスポンジ部材２５の背面に対して略平行に広がる取付部２２嵌め込み用の空隙２８とが形成され、さらに取付部２２及びスポンジ部材２５に、棒状部２１にスポンジ部材２５を取付けた状態を保持する脱落防止機構２２ｃ，２７，２８ａを備える。【選択図】図１
2011010882.tif 000002
【特許請求の範囲】
【請求項１】
前端に取付部が設けられ、後端に把持部が設けられた棒状部と、前記棒状部の取付部に脱着自在に取付けられるスポンジ部材とを備えるボディブラシにおいて、
前記取付部を、前記棒状部より幅広の板状にするとともに、
前記スポンジ部材は、スポンジ体及び前記スポンジ体を包み込む包材からなり、前記包材には、表面に開口する差込口と、前記スポンジ部材の内部において前記差込口と連通し前記スポンジ部材の背面に対して略平行に広がる前記取付部嵌め込み用の空隙とが形成され、
さらに前記取付部及び前記スポンジ部材のうち少なくとも一方に、前記棒状部に前記スポンジ部材を取付けた状態を保持する脱落防止機構を備えることを特徴とするボディブラシ。
【請求項２】
前記包材に設けられた差込口は、前記包材の後端の端面に形成され、
前記脱落防止機構は、前記差込口に設けられ、前記差込口の開口量を調整する面ファスナーであることを特徴とする請求項１に記載のボディブラシ。
【請求項３】
前記包材の外周面にヒレ片を設けたことを特徴とする請求項１又は２に記載のボディブラシ。
【請求項４】
前端に取付部が設けられ、後端に把持部が設けられた棒状部と、前記棒状部の取付部に脱着自在に取付けられるスポンジ部材とを備えるボディブラシにおいて、
前記取付部を、前記棒状部より幅広の板状にするとともに、
前記スポンジ部材は、スポンジ体及び前記スポンジ体を包み込む包材、又はスポンジ体単体からなり、前記スポンジ体には、表面に開口する差込口と、前記スポンジ体の内部において前記差込口と連通し前記スポンジ部材の背面に対して略平行に広がる前記取付部嵌め込み用の空隙とが形成され、
さらに前記取付部及び前記スポンジ部材のうち少なくとも一方に、前記棒状部に前記スポンジ部材を取付けた状態を保持する脱落防止機構を備えることを特徴とするボディブラシ。
【請求項５】
前記脱落防止機構は、前記空隙の前後方向における略中央部を前記差込口よりも幅狭に形成した絞り部であることを特徴とする請求項１乃至４のうちいずれか一つに記載のボディブラシ。
【請求項６】
前記脱落防止機構は、前記取付部の表面に形成された複数の凹凸部であることを特徴とする請求項１乃至５のうちいずれか一つに記載のボディブラシ。
【請求項７】
前記棒状部の前端を屈曲させて前記取付部の背面を連結し、しかも前記スポンジ体に設けられた差込口を前記スポンジ体の背面に形成したことを特徴とする請求項４に記載のボディブラシ。
【請求項８】
前記取付部に貫通孔を形成したことを特徴とする請求項１乃至７のうちいずれか一つに記載のボディブラシ。
【発明の詳細な説明】
【技術分野】
【０００１】
本発明は、浴室で体を洗うために用いるボディブラシに関するものである。
【背景技術】
【０００２】
一般に、棒状部の前端にスポンジ部材が一体的に取付けられたボディブラシが知られている。
このボディブラシで用いられているスポンジ部材は、単独で使用されるスポンジ部材と同様に使用とともに劣化するので、それに伴って洗浄力も低下してくる。
一方、棒状部は通常プラスチック又は木質材からなるので、スポンジ部材に比べて耐用期間が長い。よって、スポンジ部材が劣化したときにボディブラシを廃棄することは、まだ使用できる棒状部をスポンジ部材とともに廃棄することとなるので、経済的ではない。
【０００３】
そこで、図１４及び図１５に示すようなボディブラシ１０が開示されている（例えば、特許文献１参照）。
【先行技術文献】
【特許文献】
【０００４】
【特許文献１】実開昭６１−２０２２９８号公報
【０００５】
特許文献１に記載の発明は、棒状部１１の先端部に略楕円形状の枠体１２が形成され、枠体１２の内側にスポンジ部材１５が嵌め込まれることで、スポンジ部材１５が棒状部１１に対して着脱自在となっている。
このボディブラシ１０によると、スポンジ部材１５が着脱式であるので、スポンジ部材１５が劣化しても新たにスポンジ部材１５だけを買い直せばよく、経済的であるという利点がある。
【発明の概要】
【発明が解決しようとする課題】
【０００６】
しかしながら、ボディブラシ１０の使用時にはスポンジ部材１５に対して、棒状部１１の前後方向のみならず、スポンジ部材１５を棒状部１１から取り外す方向に対しても力が加わるので、枠体１２に嵌め込んだだけの構成であるボディブラシ１０では、使用中にスポンジ部材１５が棒状部１１から外れ易いといった問題がある。
【０００７】
そこで、本発明の目的とするところは、スポンジ部材が着脱可能であっても、使用中にスポンジ部材が棒状部から外れ難いボディブラシを提供することにある。
【課題を解決するための手段】
【０００８】
上記の目的を達成するために、本発明の請求項１に記載のボディブラシ（２０）は、前端（２１ａ）に取付部（２２）が設けられ、後端（２１ｂ）に把持部（２３）が設けられた棒状部（２１）と、前記棒状部（２１）の取付部（２２）に脱着自在に取付けられるスポンジ部材（２５，３５）とを備えるボディブラシ（２０）において、前記取付部（２２）を、前記棒状部（２１）より幅広の板状にするとともに、前記スポンジ部材（２５，３５）は、スポンジ体（３９）及び前記スポンジ体（３９）を包み込む包材（４０）からなり、前記包材（４０）には、表面に開口する差込口（２６）と、前記スポンジ部材（２５，３５）の内部において前記差込口（２６）と連通し前記スポンジ部材（２５，３５）の背面（２５ｂ，３５ｂ）に対して略平行に広がる前記取付部（２２）嵌め込み用の空隙（２８，３８）とが形成され、さらに前記取付部（２２）及び前記スポンジ部材（２５，３５）のうち少なくとも一方に、前記棒状部（２１）に前記スポンジ部材（２５，３５）を取付けた状態を保持する脱落防止機構（２２ｃ，２７，２８ａ，３８）を備えることを特徴とする。
【０００９】
また、請求項２に記載のボディブラシ（２０）は、前記包材（４０）に設けられた差込口（２６）は、前記包材（４０）の後端（４０ａ）の端面に形成され、前記脱落防止機構は、前記差込口（２６）に設けられ、前記差込口（２６）の開口量を調整する面ファスナー（２７）であることを特徴とする。
【００１０】
また、請求項３に記載のボディブラシ（２０）は、前記包材（４０）の外周面にヒレ片（２９）を設けたことを特徴とする。
【００１１】
また、請求項４に記載のボディブラシ（２０）は、前端（２１ａ）に取付部（２２）が設けられ、後端（２１ｂ）に把持部（２３）が設けられた棒状部（２１）と、前記棒状部（２１）の取付部（２２）に脱着自在に取付けられるスポンジ部材（２５，３５）とを備えるボディブラシ（２０）において、前記取付部（２２）を、前記棒状部（２１）より幅広の板状にするとともに、前記スポンジ部材（２５，３５）は、スポンジ体（３９）及び前記スポンジ体（３９）を包み込む包材（４０）、又はスポンジ体（３９）単体からなり、前記スポンジ体（２５，３５）には、表面に開口する差込口（２６）と、前記スポンジ体（２５，３５）の内部において前記差込口（２６）と連通し前記スポンジ部材（２５，３５）の背面（２５ｂ，３５ｂ）に対して略平行に広がる前記取付部（２２）嵌め込み用の空隙（２８，３８）とが形成され、さらに前記取付部（２２）及び前記スポンジ部材（２５，３５）のうち少なくとも一方に、前記棒状部（２１）に前記スポンジ部材（２５，３５）を取付けた状態を保持する脱落防止機構（２２ｃ，２７，２８ａ，３８）を備えることを特徴とする。
【００１２】
また、請求項５に記載のボディブラシ（２０）は、前記脱落防止機構は、前記空隙（２８）の前後方向における略中央部を前記差込口（２６）よりも幅狭に形成した絞り部（２８ａ）であることを特徴とする。
【００１３】
また、請求項６に記載のボディブラシ（２０）は、前記脱落防止機構は、前記取付部（２２）の表面に形成された複数の凹凸部（２２ｃ）であることを特徴とする。
【００１４】
また、請求項７に記載のボディブラシ（２０）は、前記棒状部（２１）の前端（２１ａ）を屈曲させて前記取付部（２２）の背面（２２ａ）を連結し、しかも前記スポンジ体（３５）に設けられた差込口（３６）を前記スポンジ体（３５）の背面（３５ｂ）に形成したことを特徴とする。
【００１５】
また、請求項８に記載のボディブラシ（２０）は、前記取付部（２２）に貫通孔（２２ｄ）を形成したことを特徴とする請求項１乃至７のうちいずれか一つに記載
【００１６】
ここで、上記括弧内の記号は、図面および後述する発明を実施するための形態に掲載された対応要素または対応事項を示す。
【発明の効果】
【００１７】
本発明の請求項１に記載のボディブラシによれば、スポンジ部材は、スポンジ体及びスポンジ体を包み込む包材からなり、包材には、表面に開口する差込口と、スポンジ部材の内部において差込口と連通しスポンジ部材の背面に対して略平行に広がる取付部嵌め込み用の空隙とが形成されるので、使用によりスポンジ部材が劣化した場合にスポンジ部材のみを交換することができ、経済的である。また、スポンジ部材を取付部から取外して、スポンジ部材のみで体を洗うこともできる。
また、取付部及びスポンジ部材のうち少なくとも一方に、棒状部にスポンジ部材を取付けた状態を保持する脱落防止機構を備えるので、スポンジ部材が棒状部に対して着脱自在な構造であっても、ボディブラシの使用中にスポンジ部材が棒状部から外れ難い。
【００１８】
また、請求項２に記載のボディブラシによれば、請求項１に記載の発明の作用効果に加え、包材に設けられた差込口は、包材の後端の端面に形成され、脱落防止機構は、差込口に設けられ、差込口の開口量を調整する面ファスナーであるので、棒状部にスポンジ部材を取付けた状態において、差込口を棒状部本体のみが貫通するだけの開口量とすることができる。取付部は棒状部本体よりも幅広であるので、取付部は開口量を小さくした差込口を通り抜けることができない。よって、ボディブラシの使用中にスポンジ部材が棒状部から外れ難い。
【００１９】
また、請求項３に記載のボディブラシによれば、請求項１又は２に記載の発明の作用効果に加え、包材の外周面にヒレ片を設けたので、体を洗う際に泡がスポンジの背面に回り込み難く、大量の泡により効果的に体を洗うことができる。
【００２０】
本発明の請求項４に記載のボディブラシによれば、スポンジ部材は、スポンジ体及びスポンジ体を包み込む包材、又はスポンジ体単体からなり、スポンジ体には、表面に開口する差込口と、スポンジ体の内部において差込口と連通しスポンジ部材の背面に対して略平行に広がる取付部嵌め込み用の空隙とが形成されるので、スポンジ部材がいずれの構成であっても着脱自在である。
また、このようなスポンジ部材であっても、取付部及びスポンジ部材のうち少なくとも一方に、棒状部にスポンジ部材を取付けた状態を保持する脱落防止機構を備えるので、ボディブラシの使用中にスポンジ部材が棒状部から外れ難い。
【００２１】
また、請求項５に記載のボディブラシによれば、請求項１乃至４に記載の発明の作用効果に加え、脱落防止機構は、空隙の前後方向における略中央部を差込口よりも幅狭に形成した絞り部であるので、空隙に取付部を嵌め込む際には、空隙を押し広げながら取付部を嵌め込むようになる。つまり空隙に取付部を圧入するので、棒状部にスポンジ部材を取付けた状態において、スポンジ部材が取付部を押圧する。よって、スポンジ部材が棒状部からより外れ難い。
【００２２】
また、請求項６に記載のボディブラシによれば、請求項１乃至５に記載の発明の作用効果に加え、脱落防止機構は取付部の表面に形成された複数の凹凸部であるので、複数の凹凸部がスポンジ部材に対する引っ掛かりとなり、空隙と取付部との摩擦力が大きくなる。よって、ボディブラシの使用中にスポンジ部材が棒状部から一層外れ難い。
【００２３】
また、請求項７に記載のボディブラシによれば、請求項４に記載の発明の作用効果に加え、棒状部の前端を屈曲させて取付部の背面を連結し、しかもスポンジ体に設けられた差込口をスポンジ体の背面に形成したので、スポンジ体の空隙がスポンジ体の差込口に対して略垂直に広がる。したがって、棒状部にスポンジ部材を一旦取付けたら、スポンジ部材は脱落し難い。
【００２４】
また、請求項８に記載のボディブラシによれば、請求項１乃至７に記載の発明の作用効果に加え、取付部に貫通孔を形成したので、スポンジの内部において、体を洗う際に泡が貫通孔を通じて行き来することができる。つまり、スポンジの背面側と正面側が完全には分断されないので、スポンジの空隙に取付部を嵌め込んでいてもスポンジの泡立ちが悪くなり難い。
【００２５】
なお、本発明のボディブラシのように、包材又はスポンジ体に形成された空隙に取付部を嵌め込むことで棒状部にスポンジ部材を取付け、その状態を保持する脱落防止機構を備える点は、上述した特許文献１には全く記載されていない。
【図面の簡単な説明】
【００２６】
【図１】本発明の第一実施形態に係るボディブラシを示す平面図である。
【図２】図１のボディブラシを示す側面図である。
【図３】図１のボディブラシにおける取付部を示す拡大平面図である。
【図４】図３に示すボディブラシにおける取付部のＡ−Ａ線断面図である。
【図５】図１のボディブラシにおけるスポンジ体を示す拡大平面図である。
【図６】図５のボディブラシにおけるスポンジ体を示す正面図である。
【図７】図６のスポンジ体に棒状部が嵌め込まれた状態を示す正面図である。
【図８】本発明の第二実施形態に係るボディブラシを示す平面図である。
【図９】図８のボディブラシを示す側面図である。
【図１０】図８のボディブラシにおけるスポンジ体を示す拡大平面図である。
【図１１】図８のボディブラシにおけるスポンジ体を示す要部断面図である。
【図１２】図１１のスポンジ体に棒状部が嵌め込まれた状態を示す要部断面図である。
【図１３】本発明の他の実施形態に係るボディブラシにおける取付部を示す拡大平面図である。
【図１４】従来例に係るボディブラシを示す側面図である。
【図１５】図１４のボディブラシにおける棒状部を示す斜視図である。
【発明を実施するための形態】
【００２７】
（第一実施形態）
図１乃至図７を参照して、本発明の第一実施形態に係るボディブラシ２０を説明する。
このボディブラシ２０は、棒状部２１と、スポンジ部材２５とを備えるものである。
【００２８】
棒状部２１は、前端２１ａに取付部２２が設けられるとともに、後端２１ｂに把持部２３が設けられており、背面側に緩やかな凸状となる弓状である。
取付部２２は、棒状部２１より幅広の板状で略矩形状である。その背面２２ａ及び正面２２ｂには、棒状部２１にスポンジ部材２５を取付けた状態を保持しスポンジ部材２５が脱落することを防止する複数の凹凸部である格子状のリブ２２ｃが形成されている。
また、リブ２２ｃで囲まれた領域のそれぞれには、取付部２２を背面２２ａ側から正面２２ｂ側へと貫通する貫通孔２２ｄが一つずつ形成されている。
棒状部２１の後端２１ｂ、つまり把持部２３の後端はボディブラシ２０の保管に便利なように、フック形状になっている。また、把持部２３は持ち易いように他の部分より若干太くなっており、把持部２３の中央には孔２３ａが形成されている。
さらに、把持部２３と取付部２２の間には、棒状部２１を短く持って使用しても滑らないように、微小凸部を複数形成した滑り止めＳ（蛇腹状であってもよい）を設けている。
なお、この棒状部２１はプラスチック（木質材であってもよい）からなる。
【００２９】
スポンジ部材２５は、スポンジ体３９及びスポンジ体３９を包み込む包材４０からなる。スポンジ体３９は発泡成形された軟質の多孔質物質であり、包材４０は軟質で通水性を有する細かなネット状である。
包材４０には、後端４０ａの端面であってスポンジ部材２５の背面２５ｂ側に開口する差込口２６と、内部に取付部２２嵌め込み用の空隙２８とが形成されている。
差込口２６は、幅が取付部２２の幅よりもやや広い。また、差込口２６の内側であって左右両側には、差込口２６の開口量を調整する面ファスナー２７がそれぞれ一対設けられている。この面ファスナー２７は、スポンジ部材２５の脱落防止のために備えられている。
【００３０】
空隙２８は、スポンジ部材２５の内部において差込口２６と連通しスポンジ部材２５の背面２５ｂに対して略平行に広がる。また、空隙２８に取付部２２を嵌め込むことが可能なように、空隙２８は取付部２２よりも若干大きい。なお、空隙２８の前後方向における略中央部を差込口２６及び取付部２２の幅よりも幅狭に形成し、ここを絞り部２８ａとした。取付部２２を空隙２８に嵌め込む際には、絞り部２８ａは取付部２２より幅狭なので、取付部２２を空隙２８に圧入することになる。軟質であるスポンジ部材２５に対しての圧入であるので、取付部２２を空隙２８に嵌め込むことは可能である。
それに加え、スポンジ部材２５の外周面も前後方向における略中央部も、スポンジ部材２５の後端２５ａよりも幅狭とした。
また、包材４０の外周面には、帯状のヒレ片２９が周設されている。
このようなスポンジ部材２５が、棒状部２１の取付部２２に脱着自在に取付けられている。
【００３１】
以上のように構成されたボディブラシ２０によれば、スポンジ部材２５は、スポンジ体３９及びスポンジ体３９を包み込む包材４０からなり、包材４０には、表面に開口する差込口２６と、スポンジ部材２５の内部において差込口２６と連通しスポンジ部材２５の背面２５ｂに対して略平行に広がる取付部２２嵌め込み用の空隙２８とが形成されるので、使用によりスポンジ部材２５が劣化した場合にスポンジ部材２５のみを交換することができ、経済的である。また、スポンジ部材２５を取付部２２から取外して、スポンジ部材２５のみで体を洗うこともできる。
また、取付部２２の背面２２ａ及び正面２２ｂには格子状のリブ２２ｃが形成されたので、格子状のリブ２２ｃがスポンジ部材２５に対する引っ掛かりとなり、スポンジ部材２５の空隙２８と取付部２２との摩擦力が大きくなる。よって、スポンジ部材２５が棒状部２１に対して着脱自在な構造であっても、ボディブラシ２０の使用中にスポンジ部材２５が棒状部２１から外れ難い。
【００３２】
さらに、包材４０の差込口２６には、差込口２６の開口量を調整する面ファスナー２７を設けたので、図７に示すように、棒状部２１にスポンジ部材２５を取付けた状態において、面ファスナー２７同士を貼着することによって、差込口２６を棒状部２１本体のみが貫通するだけの開口量に調整することができる。取付部２２は棒状部２１本体よりも幅広であるので、取付部２２は開口量が小さくなった差込口２６を通り抜けることができない。よって、ボディブラシ２０の使用中にスポンジ部材２５が棒状部２１からより外れ難い。
また、空隙２８の前後方向における略中央部には取付部２２の幅よりも幅狭の絞り部２８ａが形成されたので、取付部２２が空隙２８に嵌め込まれた状態においてスポンジ部材２５が取付部２２を押圧し、一層スポンジ部材２５が棒状部２１からより外れ難い。
【００３３】
また、空隙２８をスポンジ部材２５の背面２５ｂ側に形成したので、棒状部２１にスポンジ部材２５を取付けた状態において、取付部２２よりも正面２５ｃ側のスポンジ部材２５部分が厚く、泡立ちがよい。つまり、スポンジ部材２５の体を擦る部分が厚いので、効果的に体を洗うことができる。
加えて、包材４０の外周面にヒレ片２９を設けたので、体を洗う際に泡がスポンジ２５の背面２５ｂに回り込み難く、大量の泡により効果的に体を洗うことができる。
また、取付部２２のリブ２２ｃで囲まれた領域に貫通孔２２ｄを形成したので、スポンジ部材２５の内部において、体を洗う際に泡が貫通孔２２ｄを通じて行き来することができる。つまり、スポンジ部材２５の背面２５ｂ側と正面２５ｃ側が完全には分断されないので、スポンジ部材２５の空隙２８に取付部２２を嵌め込んでいてもスポンジ部材２５の泡立ちが悪くなり難い。
【００３４】
（第二実施形態）
次に図８乃至図１２を参照して、本発明の第二実施形態に係るボディブラシ２０を説明する。なお、第一実施形態と同一部分には同一符号を付し、第一実施形態と異なる部分のみ、以下説明する。
【００３５】
棒状部２１は、図９に示すように、棒状部２１の前端２１ａを屈曲させて取付部２２の背面２２ａ略中央を連結する。また、本実施形態では把持部２３の中央の孔は形成していない。
【００３６】
スポンジ部材３５はスポンジ体３９単体からなり、スポンジ部材３５には、図１０に示すように、背面３５ｂに棒状部２１の径よりも前後方向の幅が狭い溝である差込口３６が形成されている。
また、図１１に示すように、スポンジ部材３５に設けられた空隙３８は、差込口３６からスポンジ部材３５の前後方向に向かって側面視で略く字状に傾斜している。
差込口３６の前後方向の幅が狭いので、取付部２２の前側又は後側を空隙３８に嵌めた後、差込口３６を手で広げて取付部２２全体を空隙３８に嵌め込むことになるが、スポンジ部材３５は軟質であるから、そのように嵌め込むことは可能である。
なお、本実施形態においては、差込口３６に面ファスナーは備えていない。
【００３７】
以上のように構成されたボディブラシ２０によれば、スポンジ部材３５の空隙３８がスポンジ部材３５の差込口３６に対して略垂直に広がり、しかも差込口３６の前後方向の幅が狭いので、棒状部２１にスポンジ部材３５を一旦取付けたら、スポンジ部材３５は脱落し難い。
また、スポンジ部材３５に設けられた空隙３８は、差込口３６からスポンジ部材３５の前後方向に向かって側面視で略く字状に傾斜しているので、空隙３８に取付部２２を嵌め込むと板状である取付部２２に沿って空隙３８及びスポンジ部材３５が、図１１の状態から図１２の状態へと変形する。つまり、スポンジ部材３５が取付部２２によって反り、元の形状に戻ろうとスポンジ部材３５が取付部２２を着脱の方向とは異なる方向に常に押圧するので、一段とスポンジ部材３５は外れ難い。
【００３８】
なお、第一、第二実施形態において、スポンジ部材２５，３５の脱落防止のための機構２２ｃ，２７，２８ａ，３８を、取付部２２及びスポンジ部材２５，３５に設けたが、これに限られるものではなく、いずれか一つのみでもよい。
【００３９】
また、取付部２２の形状を略矩形状としたが、これに限られるものではなく、図１３（ａ）に示すように取付部２２を円形としてもよい。この場合、取付部２２の横幅と棒状部２１の幅の差が大きくなるので、よりスポンジ部材２５，３５が外れ難くなる。
【００４０】
また、取付部２２の背面２２ａ及び正面２２ｂにリブ２２ｃを形成したとしたが、これに限られるものではなく、正面２２ｂのみにリブ２２ｃを形成するだけでもよい。使用時には取付部２２の正面２２ｂがスポンジ部材２５，３５に押し付けられるので、取付部２２の正面２２ｂとスポンジ部材２５，３５との接触面の摩擦力の大きさがスポンジ部材２５，３５の外れ難さに最も関係するためである。
さらには、リブ２２ｃは形成されなくてもよい。
また、図１３（ｂ）に示すように、連続した凸部であるリブ２２ｃとせずに、凹凸部を複数形成した滑り止めＳであってもよい。滑り止めＳは、取付部２２の正面２２ｂのみに形成されても、背面２２ａ及び正面２２ｂに形成されてもよい。図１３（ｂ）では、取付部２２の形状を略矩形状に描いているが、もちろん円形としてもよい。
【００４１】
また、空隙２８，３８をスポンジ部材２５，３５の背面側に形成したとしたが、これに限られるものではなく、厚さ方向の略中央に形成していればよい。
また、包材４０の外周面にヒレ片２９を周設したとしたが、外周の一部のみに設けてもよく、また、ヒレ片２９を設けなくてもよい。さらには、スポンジ部材２５，３５がスポンジ体３９単体からなるときであっても、スポンジ体３９の一部をヒレ片２９として形成してもよい。
また、スポンジ部材２５，３５がスポンジ体３９単体からなるとき、スポンジ体３９に形成された差込口３６に面ファスナーが設けられていてもよい。
【００４２】
また、取付部２２のリブ２２ｃで囲まれた領域に貫通孔２２ｄを形成したとしたが、これに限られるものではない。
【００４３】
また、第一実施形態において、包材４０の差込口２６に面ファスナー２７を設けたとしたが、公知の他の手段によって差込口２６の開口量を調整してもよく、また、他の機構のみで棒状部２１にスポンジ部材２５を取付けた状態を保持できれば、差込口２６の開口量を調整する機構がなくてもよい。
【００４４】
また、スポンジ部材２５に設けられた空隙２８の前後方向における略中央部を絞り部２８ａとしたが、これに限られるものではなく、他の機構で棒状部２１にスポンジ２５を取付けた状態を保持できれば、絞り部２８ａを設けなくてもよい。
また、スポンジ部材２５の略中央部を幅狭としたが、空隙２８にのみ絞り部２８ａを設け、スポンジ部材２５は略中央部を幅狭とせず矩形状としてもよい。
また、棒状部２１に滑り止めＳを設けたとしたが、これに限られるものではない。
【００４５】
また、第二実施形態において、スポンジ部材３５の背面３５ｂに差込口３６を形成し、かつ空隙３８を差込口３６からスポンジ部材３５の前後方向に向かって側面視で傾斜させて略く字状にしたが、例えば後方に向かってのみ傾斜させてもよい。つまり、前方に向かっては空隙３８はスポンジ部材３５の背面３５ｂに略平行であってもよい。さらに、背面３５ｂに差込口３６を形成するだけで、空隙３８は略く字状としなくても十分にスポンジ部材３５の脱落を防止できる。
【００４６】
また、スポンジ部材３５はスポンジ体３９単体からなり、スポンジ体３９に差込口３６と空隙３８を形成したとしたが、これに限られるものではなく、スポンジ部材３５がスポンジ体３９と包材４０とからなる場合であっても、スポンジ体３９に差込口３６と空隙３８を形成してもよい。
【符号の説明】
【００４７】
１０      ボディブラシ
１１      棒状部
１２      枠体
１５      スポンジ部材
２０      ボディブラシ
２１      棒状部
２１ａ    前端
２１ｂ    後端
２２      取付部
２２ａ    背面
２２ｂ    正面
２２ｃ    リブ（凹凸部、脱落防止機構）
２２ｄ    貫通孔
２３      把持部
２３ａ    孔
２５      スポンジ部材
２５ａ    後端
２５ｂ    背面
２５ｃ    正面
２６      差込口
２７      面ファスナー（脱落防止機構）
２８      空隙
２８ａ    絞り部（脱落防止機構）
２９      ヒレ片
３５      スポンジ部材
３５ｂ    背面
３６      差込口
３８      空隙（脱落防止機構）
３９      スポンジ体
４０      包材
４０ａ    後端
Ｓ      滑り止め
【図１】
2011010882.tif 000003
【図２】
2011010882.tif 000004
【図３】
2011010882.tif 000005
【図４】
2011010882.tif 000006
【図５】
2011010882.tif 000007
【図６】
2011010882.tif 000008
【図７】
2011010882.tif 000009
【図８】
2011010882.tif 000010
【図９】
2011010882.tif 000011
【図１０】
2011010882.tif 000012
【図１１】
2011010882.tif 000013
【図１２】
2011010882.tif 000014
【図１３】
2011010882.tif 000015
【図１４】
2011010882.tif 000016
【図１５】
2011010882.tif 000017